(57)【要約】【課題】エンジン回転数の表示のみならず、エンジン駆動および作業部作動の警告も行なわせることができながら、配設設計も警告灯の見分けも行いやすいコンバイン用表示装置を提供する。【解決手段】エンジン駆動の警告を複数個の警告灯６１，６２，６３によって表示するエンジン用警告部６０を、複数個の警告灯６１，６２，６３が表示パネル横方向に並ぶ状態でエンジン回転計５０の下側に配置して表示パネル４２に設けてある。作業部作動の警告を複数個の警告灯７１〜７５によって表示する作業部用警告部７０を、複数個の警告灯７１〜７５が表示パネル上下方向に並ぶ状態でエンジン回転計５０の横側に配置して表示パネル４２に設けてある。【選択図】図４
2010252721.tif 000002
【特許請求の範囲】
【請求項１】
回転自在な指針を有したエンジン回転計と、前記エンジン回転計を設けた表示パネルとを備えたコンバイン用表示装置であって、
エンジン駆動の警告を複数個の警告灯によって表示するエンジン用警告部を、前記複数個の警告灯が表示パネル横方向に並ぶ状態で前記エンジン回転計の下側に配置して前記表示パネルに設け、
作業部作動の警告を複数個の警告灯によって表示する作業部用警告部を、前記複数個の警告灯が表示パネル上下方向に並ぶ状態で前記エンジン回転計の横側に配置して前記表示パネルに設けてあるコンバイン用表示装置。
【請求項２】
前記作業部用警告部の複数個の警告灯のうちの稈身又は穀粒が流動する作業部のための警告灯を、穀粒が貯留される作業部のための警告灯よりも表示パネル上方側に配置してある請求項１記載のコンバイン用表示装置。
【請求項３】
前記エンジン回転計の前記指針が表示パネル横向きの指示姿勢に操作されてエンジンの停止を表示するように、かつ前記エンジン回転計の前記指針が表示パネル上方向きの指示姿勢に操作されてエンジンの定格回転数を表示するように構成してある請求項１又は２記載のコンバイン用表示装置。
【請求項４】
前記エンジン回転計の前記指針が前記表示パネルの横方向での中央部において表示パネル上方向きの指示姿勢に操作されてエンジンの定格回転数を表示するように構成してある請求項３記載のコンバイン用表示装置。
【請求項５】
前記指針の回転軸芯が前記表示パネルの横方向での中心に対して表示パネル横方向に偏倚している請求項４記載のコンバイン用表示装置。
【請求項６】
前記エンジン用警告部と前記作業部用警告部とを仕切る仕切り標識を設けてある請求項３〜５のいずれか一項に記載のコンバイン用表示装置。
【請求項７】
前記エンジン回転計に、前記指針の先端側が移動する経路を示す円弧形の経路標識を設け、
前記仕切り標識を、前記経路標識と中心が同一で、かつ前記経路標識と半径が同一の円弧形に構成してある請求項６記載のコンバイン用表示装置。
【請求項８】
前記作業部用警告部の複数個の警告灯が前記仕切り標識に沿って並んでいる請求項７記載のコンバイン用表示装置。
【請求項９】
前記エンジン回転計に、作業用回転数を表示する高回転域標識を設けてある請求項１〜８のいずれか一項に記載のコンバイン用表示装置。
【請求項１０】
前記エンジン回転計の前記指針が作業用の高回転域においてエンジンの単位回転数変化に対応させて回転操作される振れ角を、前記指針が作業用の高回転域よりも低速の回転域においてエンジンの単位回転数変化に対応させて回転操作される振れ角よりも大に設定してある請求項９記載のコンバイン用表示装置。
【請求項１１】
前記エンジン回転計に、走行用の無段変速装置を使用するための最低回転数を表示する低回転数標識を設けてある請求項１〜１０のいずれか一項に記載のコンバイン用表示装置。
【請求項１２】
前記表示パネルを、上辺長さが下辺長さよりも長い逆台形状に構成し、
前記表示パネルの上辺側の左右一方の角と前記エンジン回転計との間、及び前記表示パネルの上辺側の左右他方の角と前記作業部用警告部との間に、方向指示灯を設けてある請求項１〜１１のいずれか一項に記載のコンバイン用表示装置。
【請求項１３】
前記エンジン用警告部の横側で、かつ前記作業部用警告部の下側に、液晶表示部を設けてある請求項１〜１２のいずれか一項に記載のコンバイン用表示装置。
【発明の詳細な説明】
【技術分野】
【０００１】
本発明は、回転自在な指針を有したエンジン回転計と、前記エンジン回転計を設けた表示パネルとを備えたコンバイン用表示装置に関する。
【背景技術】
【０００２】
コンバイン用表示装置として、従来、たとえば特許文献１に記載されたものがあった。
特許文献１に記載された表示装置は、エンジン回転数を指示針１７ａの動きによって表示する回転計１７を備え、この回転計１７の上側の周囲に籾詰まり警告灯２９、カッタ詰まり警告灯３０、ウィンカランブ３１、負荷警告灯３７、水温警告灯３２、オイル警告灯３３、充電警告灯３４を回転計１７に沿わせて設けたものである。
【先行技術文献】
【特許文献】
【０００３】
【特許文献１】特開平１０−３１３６５０号公報（段落〔００１８〕、図６）
【発明の概要】
【発明が解決しようとする課題】
【０００４】
コンバインでは、エンジン回転数の表示を行なうことができるのみならず、エンジンの駆動および作業部の作動に関する注意の必要や問題が生じた場合の警告を行うことができる表示装置を装備される。このコンバイン用表示装置を上記した従来の技術を適用して得た場合、表示装置の配置設計や警告灯の見分けに関する問題が発生しがちであった。
【０００５】
つまり、従来の技術を適用した場合、エンジン用警告部と作業部用警告部とがエンジン回転計の両横側に分散して位置した配置になるか、あるいはエンジン用警告部に備える複数個の警告灯と、作業部用警告部に備える複数個の警告灯との全ての警告灯がエンジン回転計の上側にエンジン回転計の周囲に沿って並んだ配置になる。
【０００６】
エンジン用警告部と作業部用警告部がエンジン回転計の両横側に分散した場合、エンジン用警告部とエンジン回転計と作業部用警告部とが表示パネルの横方向に並び、表示パネルを横方向長さが上下方向長さに比してかなり長い横長形に構成する必要があり、表示装置全体の形状も横長形になって、表示装置を配置するためのスペースを特別に設ける必要があるなど、配置しにくくなりがちであった。
【０００７】
一方、エンジン用警告部および作業部用警告部に備える警告灯の全てがエンジン回転計の周囲に沿って並んだ場合、全ての警告灯が一列に並び、エンジン用警告部の警告灯と作業部用警告部の警告灯とを見分けにくくなりがちであった。
【０００８】
本発明の目的は、エンジン回転数の表示のみならず、エンジン駆動および作業部作動の警告も行なわせることができるものでありながら、配設設計も警告灯の見分けも行いやすいコンバイン用表示装置を提供することにある。
【課題を解決するための手段】
【０００９】
本第１発明は、回転自在な指針を有したエンジン回転計と、前記エンジン回転計を設けた表示パネルとを備えたコンバイン用表示装置において、
エンジン駆動の警告を複数個の警告灯によって表示するエンジン用警告部を、前記複数個の警告灯が表示パネル横方向に並ぶ状態で前記エンジン回転計の下側に配置して前記表示パネルに設け、
作業部作動の警告を複数個の警告灯によって表示する作業部用警告部を、前記複数個の警告灯が表示パネル上下方向に並ぶ状態で前記エンジン回転計の横側に配置して前記表示パネルに設けてある。
【００１０】
本第１発明の構成によると、エンジン回転計によってエンジン回転数の表示が行なわれ、エンジン用警告部の警告灯により、エンジンの駆動に関する注意の必要や問題が生じた場合の警告が行なわれ、作業部用警告部の警告灯により、作業部の作動に関する注意の必要や問題が生じた場合の警告が行なわれる。
【００１１】
本第１発明の構成によると、エンジン用警告部をエンジン回転計の下側に配置したものだから、エンジン用警告部と作業部用警告部とがエンジン回転計の両横側に分散した従来のものに比して表示パネルの横方向での長さを小にしながら、エンジン用警告部および作業部用警告部を設けることができる。
本第１発明の構成によると、作業部用警告部の複数個の警告灯が表示パネルの上下方向に並ぶものだから、この面からも表示パネルの横方向での長さを小にしながら、エンジン用警告部および作業部用警告部を設けることができる。
【００１２】
本第１発明の構成によると、エンジン用警告部を、複数個の警告灯が表示パネル横方向に並ぶ状態でエンジン回転計の下側に配置し、作業部用警告部を、複数個の警告灯が表示パネル上下方向に並ぶ状態でエンジン回転計の横側に配置したものだから、エンジン用警告部と作業部用警告部とをエンジン回転計の下側と横側とに分散させて位置させることができ、かつエンジン用警告部と作業部用警告部とにおける警告灯の並び方向を相違させることができ、エンジン用警告部の警告灯と作業部用警告部の警告灯とを分散配置の面からも並び方向の面からも見分けやすくできる。
【００１３】
したがって、エンジン回転数の表示を行なわせる他、エンジン駆動および作業部作動に関する注意の必要や問題が生じた場合の警告を行なわせるのに、エンジン用と作業部用の警告灯の見分けを行ないやすい状態で行わせて、警告があった場合の対処を適切に行なわせることができ、しかもあまり横長にならなくて配設を行なわせやすい高品質のコンバイン用表示装置を得ることができる。
【００１４】
本第２発明では、本第１発明の構成において、前記作業部用警告部の複数個の警告灯のうちの稈身又は穀粒が流動する作業部のための警告灯を、穀粒が貯留される作業部のための警告灯よりも表示パネル上方側に配置してある。
【００１５】
本第２発明の構成によると、稈身又は穀粒が流動する作業部に関する注意の必要や問題が生じた場合、穀粒貯留の作業部のための警告灯よりも表示パネル上方側で警告灯を作動させて、その警告を迅速に気づかせることができる。
【００１６】
稈身又は穀粒が流動する作業部に問題が生じた場合、穀粒が貯留される作業部に問題が生じた場合に比べ、手間の掛かる修復や点検が必要になって作業を長時間にわたって中断せねばならないなど作業に影響しやすい。しかし、本第２発明によると、稈身又は穀粒が流動する作業部に関する注意の必要や問題が生じても、迅速に気づかせて対処させることができ、作業に及ぶ影響を少なく済ませることができる。
【００１７】
本第３発明では、本第１又は第２発明の構成において、または前記エンジン回転計の前記指針が表示パネル横向きの指示姿勢に操作されてエンジンの停止を表示するように、かつ前記エンジン回転計の前記指針が表示パネル上方向きの指示姿勢に操作されてエンジンの定格回転数を表示するように構成してある。
【００１８】
本第３発明の構成によると、作業時におけるエンジン回転数の変化を気づかせやすいように表示することができながらコンパクトに得ることができる。
つまり、作業時において、エンジン回転計の指針が定格回転数あるいはその付近の回転数を表示する。すると、作業時におけるエンジンに作業負荷の変化による回転数変化が発生した場合、エンジン回転計の上端部付近で発生する指針先端部の動きによって表示させて、その回転数変化を気づきやすくできる。
指針が横向きの指示姿勢から上向きの指示姿勢までに動くだけのコンパクトな状態にエンジン回転計を構成することができる。
【００１９】
したがって、作業時におけるエンジンに回転数変化が発生しても、迅速に気づかせて適切に対処させることができ、しかもコンパクトで配設設計が容易なコンバイン用表示装置を得ることができる。
【００２０】
本第４発明では、本第３発明の構成において、前記エンジン回転計の前記指針が前記表示パネルの横方向での中央部において表示パネル上方向きの指示姿勢に操作されてエンジンの定格回転数を表示するように構成してある。
【００２１】
本第４発明の構成によると、作業時におけるエンジンに回転数変化が発生した場合、表示パネルの横方向での中央部において発生する指針の振れ動きによって表示させて、その回転数変化を気づきやすくできる。
【００２２】
したがって、作業時におけるエンジンに回転数変化が発生しても、迅速に気づかせて適切に対処させることができる。
【００２３】
本第５発明では、本第４発明の構成において、前記指針の回転軸芯が前記表示パネルの横方向での中心に対して表示パネル横方向に偏倚している。
【００２４】
本第５発明の構成によると、指針が定格回転数よりも高速のエンジン回転数を表示している場合、指針の先端部が表示パネルの横方向での中心あるいはその付近に位置するようにできる。すると、エンジンに定格回転数よりも高速での回転数変化が発生した場合、表示パネルの横方向での中心あるいはその付近において発生する指針先端部の動きによって表示させて、その回転数変化を気づきやすくできる。
【００２５】
したがって、エンジンに定格回転数よりも高速の回転域での回転数変化が発生しても、迅速に気づかせて適切に対処させることができる。
【００２６】
本第６発明は、本第３〜第５発明のいずれか一つの構成において、前記エンジン用警告部と前記作業部用警告部とを仕切る仕切り標識を設けてある。
【００２７】
エンジン回転計の指針が表示パネル上方向きの指示姿勢に操作されてエンジンの定格回転数を表示するように構成した場合、指針が定格回転数を超えて高速側に限界まで操作された際の指示姿勢も、定格回転数を表示する指示姿勢に近い表示パネル上向きの姿勢となる。すると、エンジン回転計の下側に位置するエンジン用警告部とエンジン回転計の横側に位置する作業部用警告部との間に指針の先端側が移動しない部分ができる。つまり、エンジン用警告部と作業部用警告部との間に指針の先端側が移動する経路を示す経路標識が存在しない部分ができ、経路標識を利用してエンジン用警告部と作業部用警告部との仕切りを行えなくなる。
しかし、本第６発明の構成によると、エンジン用警告部と作業部用警告部とを仕切る仕切り標識を設けてあるから、仕切り標識によってエンジン用警告部と作業部用警告部の仕切りを行なわせて、エンジン用警告部の警告灯と作業部用警告部の警告灯を見分けやすくできる。
【００２８】
したがって、エンジン回転計をコンパクトに得ることができるものでありながら、警告があった場合、エンジン用の警告と作業部用の警告との判別を正確に行わせて適切に対処させることができる。
【００２９】
本第７発明は、本第６発明の構成において、前記エンジン回転計に、前記指針の先端側が移動する経路を示す円弧形の経路標識を設け、前記仕切り標識を、前記経路標識と中心が同一で、かつ前記経路標識と半径が同一の円弧形に構成してある。
【００３０】
本第７発明の構成によると、経路標識と仕切り標識とを一連の円弧形の標識となった簡素な状態に構成してエンジン回転計、エンジン用警告部、作業部用警告部を見やすくできる。
【００３１】
したがって、作業部用の警告灯とエンジン用の警告灯とを見分けやすいように仕切り標識を設けたものでありながら、表示装置の全体を見やすくできる。
【００３２】
本第８発明は、本第７発明の構成において、前記作業部用警告部の複数個の警告灯が前記仕切り標識に沿って並んでいる。
【００３３】
本第８発明の構成によると、作業部用の警告灯が仕切り標識に沿って並ぶものだから、表示パネルの大きさを過剰に大きくせずに、エンジン用警告部と作業部用警告部とを見分けやすいように仕切ることができる。
【００３４】
したがって、エンジン用警告部と作業部用警告部を見分けやすいものでありながら、表示パネルが大き過ぎなくて配設を行なわせやすいコンバイン用表示装置を得ることができる。
【００３５】
本第９発明は、本第１〜第８発明のいずれか一つの構成において、前記エンジン回転計に、作業用回転数を表示する高回転域標識を設けてある。
【００３６】
本第９発明の構成によると、指針が高回転域標識を指示することにより、エンジンが作業用回転数になっていると表示するものである。
【００３７】
したがって、指針が高回転域標識を指示するようにエンジンの回転数調節を行なえば、エンジンを作業用回転数で稼動させることができ、エンジンの回転数調節の面から楽に作業を行なうことができる。
【００３８】
本第１０発明は、本第９発明の構成において、前記エンジン回転計の前記指針が作業用の高回転域においてエンジンの単位回転数変化に対応させて回転操作される振れ角を、前記指針が作業用の高回転域よりも低速の回転域においてエンジンの単位回転数変化に対応させて回転操作される振れ角よりも大に設定してある。
【００３９】
本第１０発明の構成によると、回転計をコンパクトに構成しながら、作業時におけるエンジンの回転数変化が発生しても、迅速にかつ適切に対処させることができる。
つまり、作業時におけるエンジンに回転数変化が発生した場合、エンジンを低速の回転数に設定した場合に比して、回転数の変化量が同じであっても指針が大きく振れ動き、指針の大きな振れ動きによって回転数変化を気づきやすくでき、回転数変化に適切に対処させやすい。
しかも、低速の回転域におけるエンジンの単位回転数変化に対応した指針の振れ角を高回転域におけるその振れ角と同じに設定した場合に比して、低回転域における振れ角が小である分、指針の移動経路の全長を短く済ませ、エンジン回転計をコンパクトに得ることができる。
【００４０】
したがって、エンジン回転計をコンパクトに得ることができながら、作業時におけるエンジンの回転数変化が発生しても、適切に対処させてエンジンが過負荷状態になることを回避させやすい。
【００４１】
本第１１発明は、本第１〜第１０発明のいずれか一つの構成において、前記エンジン回転計に、走行用の無段変速装置を使用するための最低回転数を表示する低回転数標識を設けてある。
【００４２】
本第１１発明の構成によると、指針が低回転数標識よりも低速側を指示することにより、エンジンが無段変速装置の使用に適さない回転数になっていると表示するものである。
【００４３】
したがって、エンジン回転数が無段変速装置の使用に適さない回転数に低下した場合、指針が低回転数標識よりも低速側に位置していることによって容易かつ適切に認識させて適切に対処させることができる。
【００４４】
本第１２発明は、本第１〜第１１発明のいずれか一つの構成において、前記表示パネルを、上辺長さが下辺長さよりも長い逆台形状に構成し、前記表示パネルの上辺側の左右一方の角と前記エンジン回転計との間、及び前記表示パネルの上辺側の左右他方の角と前記作業部用警告部との間に、方向指示灯を設けてある。
【００４５】
本第１２発明の構成によると、表示パネルの大きさを過剰に大きくせずに、表示パネルの上辺側の左右の角部に方向指示灯をエンジン回転計あるいは作業部用警告部に対して適切な間隔で離れて見やすい状態で設けることができる。
【００４６】
したがって、方向指示灯を見やすい状態で備えることができながら、表示パネルが大き過ぎなくて配設を行なわせやすいコンバイン用表示装置を得ることができる。
【００４７】
本第１３発明は、本第１〜第１２発明のいずれか一つの構成において、前記エンジン用警告部の横側で、かつ前記作業部用警告部の下側に、液晶表示部を設けてある。
【００４８】
本第１３発明の構成によると、エンジン用警告部がエンジン回転計の下側に位置し、作業部用警告部がエンジン回転計の横側に位置することによって、エンジン用警告部の横側で、かつ作業部用警告部の下側に形成されるスペースを利用して液晶表示部を設け、表示パネルの大きさを過剰に大きくせずに、エンジン用燃料の貯留量などをデジタル表示することができる。
【００４９】
エンジン用燃料の貯留量をデジタル表示するなどのデジタル表示も併せて行なうことができるものでありながら、表示パネルが大き過ぎなくて配設を行なわせやすいコンバイン用表示装置を得ることができる。
【図面の簡単な説明】
【００５０】
【図１】コンバインの全体を示す側面図である。
【図２】コンバインの全体を示す平面図である。
【図３】運転部を示す平面図である。
【図４】表示装置を示す平面図である。
【図５】（ａ）は、エンジン回転計の低回転数を表示する状態を示す平面図、（ｂ）は、エンジン回転計の作業用回転数を表示する状態を示す平面図、（ｃ）は、エンジン回転計の定格回転数を表示する状態を示す平面図、（ｄ）は、エンジン回転計の高回転数を表示する状態を示す平面図である。
【発明を実施するための形態】
【００５１】
以下、本発明の実施の形態を図面に基づいて説明する。
図１は、本発明の実施の形態に係るコンバイン用表示装置が装備されたコンバインの全体を示す側面図である。図２は、本発明の実施の形態に係るコンバイン用表示装置が装備されたコンバインの全体を示す平面図である。これらの図に示すように、本発明の実施の形態に係るコンバイン用表示装置が装備されたコンバインは、左右一対のクローラ式の走行装置１，１が装備された走行機体２を備え、走行機体２の機体フレーム３の後部側に走行機体横方向に並べて設けた脱穀装置４と穀粒タンク５とを備え、脱穀装置４の前部にフィーダ１１が連結された刈取前処理部１０を備えている。
【００５２】
このコンバインは、稲、麦などの収穫作業を行なう。
すなわち、走行機体２は、運転座席６ａが装備された運転部６を備え、この運転部６に搭乗して操縦するよう乗用型になっている。走行機体２は、運転座席６ａの下方に設けたエンジン７を備え、このエンジン７が出力する駆動力によって左右一対の走行装置１，１を駆動して自走する。
【００５３】
刈取前処理部１０のフィーダ１１は、脱穀装置４の前部に上下揺動自在に連結されている。刈取前処理部１０は、フィーダ１１が昇降シリンダ（図示せず）によって上下に揺動操作されることにより、フィーダ１１の前端部に連結された刈取部フレーム１２に設けたバリカン形の刈取装置１３が地面の近くに下降した下降作業状態と、刈取装置１３が地面から高く上昇した上昇非作業状態とに昇降する。
【００５４】
刈取前処理部１０を下降作業状態に下降させて走行機体２を走行させると、刈取前処理部１０は、左右一対の分草具１４，１４によって植立穀稈を刈取対象と非刈取対象の植立穀稈に分草し、刈取対象の植立穀稈の穂先側を駆動回転自在な回転リール１５の掻き込みタイン１５ａによって刈取部フレーム１２の内部に掻き込みながら、刈取対象の植立穀稈の株元側を刈取装置１３によって刈取り、刈取穀稈を横送りオーガ１６によってフィーダ１１の前側に横送りし、フィーダ１１の前側に到達して横送りオーガ１６の掻き込みバー１６ａによってフィーダ１１の始端部に掻き込み供給された刈取穀稈を、フィーダ１１によって脱穀装置４の前部に搬送して脱穀装置４の穀稈投入口に株元から穂先までの全体にわたって供給する。
【００５５】
脱穀装置４は、穀稈投入口に供給された刈取穀稈の株元から穂先までの全体を扱室に導入して回動する扱胴によって脱穀処理し、脱穀穀稈を選別部によって一番処理物と二番処理物と塵埃とに選別処理し、一番処理物としての脱穀粒を揚穀装置８（図２参照）によって穀粒タンク５に供給し、二番処理物を選別部に還元し、脱穀排ワラなどの塵埃を脱穀機体の後部に位置する排出口４ａから脱穀機体の後側に排出する。
【００５６】
穀粒タンク５は、揚穀装置８からの脱穀粒を回収して貯留する。この穀粒タンク５は、穀粒タンク５の後側に立設された走行機体上下向きの縦スクリューコンベヤ９ａと、この縦スクリューコンベヤ９ａの上端部に上下揺動自在に連結された横スクリューコンベヤ９ｂを備え、貯留した脱穀粒を縦スクリューコンベヤ９ａと横スクリューコンベヤ９ｂとによって搬出する。
【００５７】
図３は、走行機体２の運転部６を示す平面図である。この図および図２に示すように、走行機体２の運転部６は、運転座席６ａを備える他、運転座席６ａの前方下方に設けた運転部床２０、運転座席６ａの前方に設けた操縦塔２１、運転座席６ａの横側方に設けた横運転パネル２２を備えている。
【００５８】
図３に示すように、横運転パネル２２は、横運転パネル２２の前端側に設けられた主変速レバー２３と副変速レバー２４を備え、横運転パネル２２の後端側に設けられたアクセルレバー２５、刈取りクラッチレバー２６、脱穀クラッチレバー２７を備えている。
【００５９】
主変速レバー２３は、機体フレーム３の前端部に設けた無段変速装置２８（図１参照）の操作部に連動されている。無段変速装置２８は、エンジン７からの駆動力が入力される可変容量形の油圧ポンプと、この油圧ポンプからの油圧によって駆動されて左右一対の走行装置１，１に出力する油圧モータとを備えて構成してあり、エンジン７からの駆動力を前進側と後進側の駆動力に変換して、かつ前進側と後進側のいずれにおいても無段階に変速して左右一対の走行装置１，１に伝達するよう静油圧式の無段変速装置になっている。
つまり、主変速レバー２３は、走行機体前後方向に揺動操作されることにより、無段変速装置２８を変速操作して、左右一対の走行装置１，１の駆動方向を前進側と後進側とに変更し、かつ左右一対の走行装置１，１の前進側および後進側での駆動速度を無段階に変更する。
【００６０】
副変速レバー２４は、機体フレーム３の前端部に設けた走行ミッションケース２９（図１参照）の内部に位置する走行用副変速装置（図示せず）の操作部に連動されている。すなわち、副変速レバー２４は、走行機体前後方向に揺動操作されることにより、走行用副変速装置を変速操作して、左右一対の走行装置１，１を高速側と低速側とに変速する。
【００６１】
アクセルレバー２５は、走行機体前後方向に揺動操作されることにより、エンジン７のアクセル装置（図示せず）を変速操作して、エンジン７の回転数を増減調節する。刈取クラッチレバー２６は、走行機体前後方向に揺動操作されることにより、刈取りクラッチ（図示せず）を入り状態と切り状態に切り換え操作して、刈取前処理部１０を駆動状態と停止状態とに切り換える。脱穀クラッチレバー２７は、走行機体前後方向に揺動操作されることにより、脱穀クラッチ（図示せず）を入り状態と切り状態に切り換え操作して、脱穀装置５を駆動状態と停止状態とに切り換える。
【００６２】
図３に示すように、操縦塔２１は、これの上端部に設けられた前運転パネル３０および固定ハンドル３１を備え、前運転パネル３０に走行機体横方向に並べて設けたコンビネーションスイッチ３２、本発明の実施例に係る表示装置４０、キースイッチ３８、操縦レバー３３、リール昇降レバー３４を備えている。
【００６３】
コンビネーションスイッチ３２は、ホーンスイッチおよび方向指示スイッチを備えている。コンビネーションスイッチ３２は、ホーンスイッチが操作されることによって警報ホーンを作動させる。コンビネーションスイッチ３２は、方向指示スイッチが操作されることにより、走行機体２の走行方向を示す左右の方向指示ランプ３５を点灯および消灯操作する。左側の方向指示ランプ３５は、脱穀機体の横側面に設けられている。図１に示すように、右側の方向指示ランプ３５は、エンジン用の吸気カバー３６の側面に設けられている。
【００６４】
キースイッチ３８は、脱着自在なキーによって操作されて、エンジン７を始動及び停止操作する。
【００６５】
操縦レバー３３は、中立位置、中立位置から左側に揺動した左旋回位置、および中立位置から右側に揺動した右旋回位置に切り換え操作自在に支持されており、かつ走行ミッションケース２９の内部に位置する操向機構（図示せず）の操作部に連動されている。すなわち、操縦レバー３３は、直進位置と左旋回位置と右旋回位置とに切り換え操作されることにより、操向機構を直進状態と左旋回状態と右旋回状態とに切り換え操作して、走行機体２を直進走行させたり、左向きあるいは右向きに旋回走行させたりする。
【００６６】
操縦レバー３３は、中立位置から前側に揺動した下降操作位置と、中立位置から後側に揺動した上昇操作位置とに切り換え操作自在に支持されており、かつ刈取前処理部１０を昇降操作する昇降シリンダの制御弁に連動されている。すなわち、操縦レバー３３は、走行機体前後方向に揺動操作されることにより、昇降シリンダ操作して刈取前処理部１０を下降および上昇操作するよう昇降レバーになっている。
【００６７】
リール昇降レバー３４は、走行機体前後方向に揺動操作されることにより、回転リール１５の支持アーム１５ｂに連動された昇降シリンダ３７（図１参照）を駆動操作して、回転リール１５を昇降させる。
【００６８】
図４は、表示装置４０を示す平面図である。この図に示すように、表示装置４０は、計器ケース４１、この計器ケース４１の上部に取り付けられた表示パネル４２を備え、表示パネル４２の左右方向での中心Ｃに対して左側に偏倚させて表示パネル４２に設けたエンジン回転計５０、エンジン回転計５０の下側に配置して表示パネル４２に設けたエンジン用警告部６０、エンジン回転計５０の右横側に配置して表示パネル４２に設けた作業部用警告部７０、エンジン用警告部６０の右横側で、かつ作業部用警告部７０の下側に配置して表示パネル４２に設けた液晶表示部４３、表示パネル４２の上辺側の左右端部に設けた方向指示灯４４ａ，４４ｂを備えて構成してある。
【００６９】
計器ケース４１は、計器ケース４１の両横外側に設けた取り付け板４１ａを備えている。左右の取り付け板４１ａは、前運転パネル３０の裏面側に連結されて、表示装置４０を前運転パネル３０に取り付ける。この計器ケース４１は、これの内部に収容したコントローラ４５（図３参照）を備えている。
【００７０】
表示パネル４２は、上辺長さＬ１が下辺長さＬ２よりも長い逆台形状に構成されて、上辺側の左右端部に方向指示灯４４ａ，４４ｂの設置スペースを形成している。左右一対の方向指示灯４４ａ，４４ｂのうちの左側の方向指示灯４４ａは、表示パネル４２の上辺側の左角とエンジン回転計５０との間に設置され、右側の方向指示灯４４ｂは、表示パネル４２の上辺側の右角と作業部用警告部７０との間に設置されている。
【００７１】
左右の方向指示灯４４ａ，４４ｂは、コンビネーションスイッチ３２からの操作情報を基に、コントローラ４５によって操作される。左側の方向指示灯４４ａは、点滅操作されることにより、左側の方向指示ランプ３５が点滅していることを表示し、右側の方向指示灯４４ｂは、点滅操作されることにより、右側の方向指示ランプ３５が点滅していることを表示する。
【００７２】
エンジン回転計５０は、表示パネル４２に一体成形された回転計パネル５１、および表示パネル４２の横方向での中心Ｃに対して表示パネル左横側に偏倚した箇所に位置する回転軸芯Ｐまわりに回転操作自在な指針５２を備えて構成してある。
【００７３】
指針５２は、回転軸芯Ｐまわりに回転操作されて、回転計パネル５１の下端側で表示パネル横向きになった指示姿勢と、回転計パネル５１の右端側で表示パネル上下向きになった指示姿勢との間で振れ動く。
【００７４】
回転計パネル５１に、経路長さＬ３を有した円弧形の経路標識５３、経路標識５３の中間部分に重合した低回転数標識５４、経路標識５３の高回転側の部分に重合した定格回転域標識５５、経路標識５３の低回転数標識５４と定格回転域標識５５との間に位置する部分に重合した高回転域標識５６を設けてある。
【００７５】
経路標識５３は、指針５２の回転軸芯Ｐを中心とした円弧形に構成してあり、指針５２の先端側が移動する経路を示している。低回転数標識５４、高回転域標識５６および定格回転域標識５５の指針５２の長手方向に沿う方向での長さは、経路標識５３の指針５２の長手方向に沿う方向での長さ（経路標識５３の横幅）よりも大になっている。定格回転域標識５５は、表示パネル４２の左右方向での中央部に、表示パネル４２の横方向での中心Ｃに対して表示パネル左横側に少し位置ずれした状態で位置している。
【００７６】
つまり、エンジン回転計５０は、エンジン７の回転センサ（図示せず）からの検出情報を基に、指針５２がコントローラ４５によって回転操作され、指針５２の動きと各標識５４，５６，５５とによってエンジン７の回転数を表示する。
【００７７】
すなわち、図４に示すように、エンジン回転計５０は、指針５２が回転計パネル５１の下端側において表示パネル横向きの指示姿勢に操作されると、指針５２が経路標識５３の始端側の端部を指示し、エンジン７の停止を表示する。
【００７８】
図５（ａ）は、エンジン回転計５０の低回転数を表示する状態を示す平面図である。この図に示すように、エンジン回転計５０は、指針５２が図４の指示姿勢から表示パネル上方側に設定角度を振れた指示姿勢に操作されると、指針５２が低回転数標識５４を指示し、エンジン７の回転数が無段変速装置２８を使用可能な状態に駆動できる回転数のうちの最低の回転数であることを表示する。
【００７９】
図５（ｂ）は、エンジン回転計５０の作業用回転数を表示する状態を示す平面図である。この図に示すように、エンジン回転計５０は、指針５２が図５（ａ）の指示姿勢から表示パネル上方側に設定角度を振れた指示姿勢に操作されると、指針５２が高回転域標識５６を指示し、エンジン７の回転数が作業に適正な作業用回転数であることを表示する。
【００８０】
図５（ｃ）は、エンジン回転計５０の定格回転数を表示する状態を示す平面図である。この図に示すように、エンジン回転計５０は、指針５２が図５（ｂ）の指示姿勢から表示パネル右横側に設定角度を振れた指示姿勢に操作されると、指針５２が定格回転域標識５５を指示し、エンジン７の回転数が作業に最適の定格回転数であることを表示する。
【００８１】
図５（ｄ）は、エンジン回転計５０の高速回転数を表示する状態を示す平面図である。この図に示すように、エンジン回転計５０は、指針５２が図５（ｃ）の指示姿勢から表示パネル右横側に設定角度を振れた指示姿勢に操作されると、指針５２が経路標識５３の終端部を指示し、エンジン７の回転数が定格回転数よりも高速の高回転数であることを表示する。
【００８２】
コントローラ４５は、エンジン回転計５０の指針５２が作業用の高回転域としての高回転域標識５６および定格回転域５５に位置する状態おいてエンジン７の単位回転数変化に対応させて指針５２を回転操作する場合の指針５２の振れ角を、指針５２が高回転域標識５６よりも低速の回転域に位置する状態においてエンジン７の単位回転数変化に対応させて指針５２を回転操作する場合の指針５２の振れ角よりも大に設定している。
【００８３】
すなわち、単位回転数としてたとえば１００回転を設定した場合、指針５２が高回転域標識５６および定格回転域５５に位置する状態おいてエンジン７の回転数が１００回転、増加側あるいは減少側に変化することによって指針５２が変化前の指示位置から変化後の指示位置に振れ動く角度は、指針５２が高回転域標識５６よりも低速の回転域に位置する状態においてエンジン７の回転数が１００回転、増加側あるいは減少側に変化することによって指針５２が変化前の指示位置から変化後の指示位置に振れ動く角度よりも大になっている。
【００８４】
したがって、指針５２は、作業時の場合、高回転域よりも低速の回転域に位置する場合に比して、エンジン回転数の変化量が同じであっても指針５２の振れ動き角が大きくて目立ちやすい状態で回転操作されて、エンジン７の回転数変化の発生を気づきやすくする。
【００８５】
エンジン用警告部６０は、表示パネル４２のエンジン回転計５０よりも下側に位置する部位に表示パネル横方向に一列に並べて設けた三つの警告灯６１，６２，６３を備えて構成してあり、エンジン用の水温センサ（図示せず）、オイル圧センサ（図示せず）、バッテリ充電センサ（図示せず）からの検出情報を基に、三つの警告灯６１，６２，６３がコントローラ４５によって操作され、エンジン７の駆動に関する注意の必要や問題が生じたことを三つの警告灯６１，６２，６３によって表示する。
【００８６】
すなわち、エンジン用警告部６０は、三つの警告灯６１，６２，６３のうちの第一の警告灯６１が点灯されることにより、エンジン７の冷却水温がエンジン７の過剰昇温に至りやすいものとして設定された設定温度に上昇したことを警告する。
【００８７】
エンジン用警告部６０は、三つの警告灯６１，６２，６３のうちの第二の警告灯６２が点灯されることにより、エンジン用バッテリの電力がエンジン７の始動不良に至りやすいものとして設定された設定電力に低下したことを警告する。
【００８８】
エンジン用警告部６０は、三つの警告灯６１，６２，６３のうちの第三の警告灯６３が点灯されることにより、エンジン７に潤滑用に供給されるオイルの圧力がエンジン７の潤滑不良に至りやすいものとして設定された設定低圧力に低下したことを警告する。
【００８９】
作業部用警告部７０は、表示パネル４２のエンジン回転計５０の右横側に位置する部位に表示パネル上下方向に並べて設けた五つの警告灯７１〜７５、および各警告灯７１〜７５の横側に設けた表示７１ａ〜７５ａを備えて構成してある。
【００９０】
五つの警告灯７１〜７５は、表示パネル４２のエンジン回転計５０と作業部用警告部７０の間に位置する部位に設けた円弧形の仕切り標識８０に沿って並んでおり、円弧形の配列になっている。各表示７１ａ〜７５ａは、対応する警告灯７１〜７５が作業部としての刈取前処理部１０、脱穀装置４における排ワラ排出部、脱穀装置４の選別部における二番処理物の搬出部、穀粒タンク５のいずれに該当する警告灯であるかを文字および符号によって表示している。
【００９１】
つまり、作業部用警告部７０は、刈取前処理部１０の穀稈量センサ（図示せず）、脱穀装置４のワラ量センサ（図示せず）および穀粒量センサ（図示せず）、穀粒タンク５の貯留量センサ（図示せず）からの検出情報を基に、五つの警告灯７１〜７５がコントローラ４５によって操作され、刈取前処理部１０、脱穀装置４における排ワラ排出部、脱穀装置４の選別部における二番処理物の搬出部、穀粒タンク５の作動に関する注意の必要や問題が生じたことを五つの警告灯７１〜７５によって警告する。
【００９２】
すなわち、作業部用警告部７０は、五つの警告灯７１〜７５のうちの最上段に位置する第一の警告灯７１が点灯されることにより、刈取前処理部１０において刈取穀稈が流動するフィーダ１１の穀稈量が穀稈詰まりに至りやすいものとして設定された設定量に増加したことを警告する。
【００９３】
作業部用警告部７０は、五つの警告灯７１〜７５のうちの最上段の第一の警告灯７１に対して一段、表示パネル下方側に位置する第二の警告灯７２が点灯されることにより、脱穀装置４において脱穀排ワラが排出されるよう流動する排ワラ排出部の排ワラ量がワラ詰まりに至りやすいものとして設定された設定量に増加したことを警告する。
【００９４】
作業部用警告部７０は、五つの警告灯７１〜７５のうちの最上段の第一の警告灯７１に対して二段、表示パネル下方側に位置する第三の警告灯７３が点灯されることにより、脱穀装置４の選別部において二番処理物としての穀粒が搬出されるよう流動するコンベヤの穀粒量が詰まりに至りやすいものとして設定された設定量に増加したことを警告する。
【００９５】
作業部用警告部７０は、五つの警告灯７１〜７５のうちの最上段の第一の警告灯７１に対して三段、表示パネル下方側に位置する第四の警告灯７４が点灯されることにより、穀粒タンク５における脱穀粒の貯留量が穀粒タンク５の満杯量に達したことを警告する。
【００９６】
作業部用警告部７０は、五つの警告灯７１〜７５のうちの最下段の第五の警告灯７５が点灯されることにより、穀粒タンク５における脱穀粒の貯留量がタンク容量の１/２の量に達したことを警告する。
【００９７】
液晶表示部４３は、表示パネル上下方向に並んで位置する燃料メータ部４３ａとアワーメータ部４３ｂとを備えている。燃料メータ部４３ａは、燃料タンク（図示せず）の貯留量センサ（図示せず）からの検出情報を基にコントローラ４５によって操作され、エンジン７のための燃料の貯留量をデジタル表示する。アワーメータ部４３ｂは、エンジン７の回転センサからの検出情報を基にコントローラ４５によって操作され、エンジン７の稼動時間をデジタル表示する。
【００９８】
図４に示すうように、円弧形の仕切り標識８０は、エンジン用警告部６０における警告灯６１，６２，６３と作業部用警告部７０における警告灯７１〜７５とを見分けやすいように、エンジン用警告部６０と作業部用警告部７０とを仕切る状態でエンジン回転計５０の右横側に位置している。
この仕切り標識８０は、エンジン回転計５０の経路標識５３と中心が同一で、かつエンジン回転計５０の経路標識５３と半径が同一の円弧形に構成されており、仕切り標識８０と経路標識５３とは、一連の円弧形になっている。
【００９９】
エンジン回転計５０と、表示パネル４２の仕切り標識８０が位置する部分とは、両方によって備える表示面積が、表示パネル４２の全体の表示面積のうちの１/２を超え大きさになる状態で構成されており、エンジン回転計５０の表示を見やすくしている。
【０１００】
表示パネル４２は、仕切り標識８０および経路標識５３の外側に位置する部位に仕切り標識８０および経路標識５３に沿わせて設けた円弧形の突条８１を備えている。
【産業上の利用可能性】
【０１０１】
本発明は、刈取穀稈の株元から穂先までの全体が脱穀装置に供給されるコンバインに使用される表示装置の他、刈取穀稈の穂先側が脱穀装置に供給されるコンバインに使用される表示装置にも利用できる。
【符号の説明】
【０１０２】
４２                表示パネル
４３                液晶表示部
４４ａ，４４ｂ      方向指示灯
５０                エンジン回転計
５２                指針
５３                経路標識
５４                低回転数標識
５６                高回転域標識
６０                エンジン用警告部
６１，６２，６３    エンジン用警告部の警告灯
７０                作業部用警告部
７１〜７５          作業部用警告部の警告灯
８０                仕切り標識
Ｃ                  表示パネルの横方向での中心
Ｌ１                表示パネルの上辺長さ
Ｌ２                表示パネルの下辺長さ
Ｐ                  指針の回転軸芯
【図１】
2010252721.tif 000003
【図２】
2010252721.tif 000004
【図３】
2010252721.tif 000005
【図４】
2010252721.tif 000006
【図５】
2010252721.tif 000007